(57)【要約】【課題】把持部を把持して引っ張るだけの一動作で、シートを素早く広げることが可能な、折り畳まれたペットシートを提供すること。【解決手段】ペットシート１０は、該シート１０を平らに広げた使用時の状態において、該シート１０を横切る線分を仮想的に考えたとき、長さが最も長くなる該線分の両端の位置にそれぞれ把持部１６を備える。使用前の折り畳まれた状態のペットシート１０は、これを平面視したときに、折り畳まれた状態の該シート１０の周縁部に各把持部１６が位置するように、かつ三層以上に積層されるように折り畳まれている。【選択図】図２
2015023817.tif 000002
【特許請求の範囲】
【請求項１】
使用前は折り畳まれており、平らに広げて使用されるペットシートであって、
前記シートは、該シートを平らに広げた使用時の状態において、該シートを横切る線分を仮想的に考えたとき、長さが最も長くなる該線分の両端の位置にそれぞれ把持部を備え、
使用前の折り畳まれた状態の前記シートは、これを平面視したときに、折り畳まれた状態の該シートの周縁部に各把持部が位置するように、かつ三層以上に積層されるように折り畳まれている、ペットシート。
【請求項２】
前記把持部が、紐状部材、輪状部材又はＴ字状部材からなる請求項１に記載のペットシート。
【請求項３】
平らに広げた状態において矩形をしており、該矩形の少なくとも１つの対角線の両端の位置に前記把持部を備える請求項１又は２に記載のペットシート。
【請求項４】
矩形の四辺のうちの少なくとも一辺の長さが３０ｃｍ以上１２０ｃｍ以下である請求項１ないし３のいずれか一項に記載のペットシート。
【請求項５】
外折りの折部を少なくとも１カ所有する請求項１ないし４のいずれか一項に記載のペットシート。
【請求項６】
巻き折りの折部を少なくとも１カ所有する請求項１ないし４のいずれか一項に記載のペットシート。
【請求項７】
直角折りの折部を少なくとも１カ所有する請求項１ないし４のいずれか一項に記載のペットシート。
【請求項８】
八頁折りの折り形態を経た折り畳み形態になっている請求項１ないし４のいずれか一項に記載のペットシート。
【請求項９】
折り畳まれた状態の平面視での形状が矩形であり、少なくとも１つの対角線上にある２カ所の角部のそれぞれに前記把持部が位置している請求項１ないし８のいずれか一項に記載のペットシート。
【請求項１０】
折り畳まれた状態の平面視での形状が矩形であり、四辺のうちの一辺に２つの前記把持部が位置している請求項１ないし８のいずれか一項に記載のペットシート。
【請求項１１】
折り畳まれた状態の平面視での形状が矩形であり、１カ所の角部に２つの前記把持部が位置している請求項１ないし８のいずれか一項に記載のペットシート。
【請求項１２】
液透過性の表面シートと、液不透過性ないし液難透過性の裏面シートと、両シート間に配置された吸収体とを有する請求項１ないし１１のいずれか一項に記載のペットシート。
【発明の詳細な説明】
【技術分野】
【０００１】
本発明は、ペットの排泄物の受容に用いられるペットシートに関し、更に詳しくは使用前は折り畳まれており、使用時に平らに広げられるペットシートに関する。
【背景技術】
【０００２】
近年、犬や猫等の小動物をペットとして屋内で飼育する家庭が増えている。犬では特に小型犬が飼育の容易さから比較的多く飼育されている。犬を飼育する場合、排泄は屋外での散歩の際に行わせることが一般的である。しかし小型犬の場合、屋内でも何らかの排泄用品が必要となることが多い。通常この用途のために、犬の排泄物を吸収するパルプや吸水ポリマーを含有し、それらの外側を不織布やプラスチックフィルム等で被覆した平面状のシートが使われおり、そのようなシートは一般にペットシートと呼ばれている。
【０００３】
このペットシートは、その販売形態として、嵩張らないように何回も折り畳み、圧縮してパッケージ内に収納した形態が採用されることが多い。このため、折り畳まれたペットシートをパッケージから取り出して使用するときに、シートの端を摘まんで展開する操作をしなければならなかった。ペットシートはその面積が比較的大きく、かつ薄手で剛性が低いことから、一動作でシートを展開することが容易でない場合がある。特にペットの飼育者が高齢である場合、一般的に高齢者は視力が低下していることが多く、シートの端部を認識することに時間がかかったり、また認識できたとしても加齢による指先の巧緻性の低下等によって、指先で薄いシートの端部を摘まんで広げるのに時間がかかったりすることがある。近年、核家族化に起因する独居高齢者のＱＯＬの向上等の観点から小型犬等のペットを飼育するケースが増えており、こういった問題が増えつつある。
【０００４】
動物を飼育するときに用いられるシートとして、例えば特許文献１には、家畜の下に敷く家畜用敷物が記載されている。この敷物は、矩形状の敷物本体と、その各角部に設けられた輪状の取っ手を備えている。しかし同文献には、この敷物を使用前に折り畳んでおくことについて記載がない。
【０００５】
特許文献２には、ペットシートの周囲に輪状の通し穴を設けて、該穴に紐を装着するとともに、周囲のうちの対向する一対の位置から紐を外方に露出させ、露出した紐を把持することで、シートを巾着状に変形させる排泄処理用シートが記載されている。しかし同文献にも、この排泄処理用シートを使用前に折り畳んでおくことについて記載はない。
【先行技術文献】
【特許文献】
【０００６】
【特許文献１】特開２００７−１５９４３８号公報
【特許文献２】実用新案登録第３０５３１４５号公報
【発明の概要】
【発明が解決しようとする課題】
【０００７】
したがって本発明の課題は、前述した従来技術が有する欠点を解消し得るペットシートを提供することにある。
【課題を解決するための手段】
【０００８】
本発明は、使用前は折り畳まれており、平らに広げて使用されるペットシートであって、
前記シートは、該シートを平らに広げた使用時の状態において、該シートを横切る線分を仮想的に考えたとき、長さが最も長くなる該線分の両端の位置にそれぞれ把持部を備え、
使用前の折り畳まれた状態の前記シートは、これを平面視したときに、折り畳まれた状態の該シートの周縁部に各把持部が位置するように、かつ三層以上に積層されるように折り畳まれている、ペットシートを提供するものである。
【発明の効果】
【０００９】
本発明によれば、把持部を把持して引っ張るだけの一動作でシート展開動作の補助になり、シートを素早く広げることが可能となる。
【図面の簡単な説明】
【００１０】
【図１】図１（ａ）は、本発明のペットシートの一実施形態を示す一部破断斜視図であり、使用時の状態を示すものであり、図１（ｂ）は、図１（ａ）におけるｂ−ｂ線断面図である。
【図２】図２は、図１に示すペットシートの使用前の折り畳み状態を示す斜視図である。
【図３】図３（ａ）ないし（ｄ）は、図１（ａ）に示すペットシートを図２に示す折り畳み状態にするための工程を順次示す斜視図である。
【図４】図４は、本発明の別の実施形態のペットシートの使用前の折り畳み状態を示す斜視図である。
【図５】図５（ａ）ないし（ｄ）は、図１（ａ）に示すペットシートを図４に示す折り畳み状態にするための工程を順次示す斜視図である。
【図６】図６は、本発明の別の実施形態のペットシートの使用前の折り畳み状態を示す斜視図である。
【図７】図７（ａ）及び（ｂ）は、図１（ａ）に示すペットシートを図６に示す折り畳み状態にするための工程を順次示す斜視図である。
【図８】図８は、本発明の別の実施形態のペットシートの使用前の折り畳み状態を示す斜視図である。
【図９】図９（ａ）ないし（ｄ）は、図１（ａ）に示すペットシートを図８に示す折り畳み状態にするための工程を順次示す斜視図である。
【図１０】図１０（ａ）及び（ｂ）は、把持部の別の実施形態を示す模式図である。
【発明を実施するための形態】
【００１１】
以下本発明を、その好ましい実施形態に基づき図面を参照しながら説明する。図１及び図２には本発明のペットシートの一実施形態が示されている。これらの図のうち、図１は、ペットシートの使用状態を示す斜視図であり、図２は、ペットシートの使用前の状態を示す斜視図である。使用前の状態のペットシート１０は平面視での輪郭の長さに比べて厚みが小さくなっているシート状のものである。ペットシート１０は平面視して、対向する一対の長辺と、対向する一対の短辺とを有する矩形状の形状をしている。
ペットシート１０は、巻き折りの折部を少なくとも１カ所有するペットシートの一実施形態である。
「巻き折り」とは、谷折りを繰り返すことにより、内側へ巻いていく折り方であり、例えば、巻き込む形で２回折る折り方は「巻き三つ折り」、二つ折りした後、同じ方向にもう一度二つ折りする折り方は「巻き四つ折り」である。
【００１２】
ペットシート１０は、第１面１１と、それに対向する第２面１２とを有している。第１面１１及び第２面１２はいずれも平坦になっているか、又は実質的に平坦とみなせる程度の微少な凹凸を有する表面形状となっている。第１面１１は、表面シート１３から構成されている。一方、第２面１２は、裏面シート１４から構成されている。
【００１３】
表面シート１３から構成されている第１面１１は、ペットシート１０の使用時に、ペットの身体と対向する面である。第１面１１は、ペットから排泄される排泄物を受容する面であり、その目的のために第１面１１を構成する表面シート１３は液透過性を有していることが好ましい。液透過性を有する表面シート１３の例としては、不織布や織布等の繊維シート、及び合成樹脂製の穿孔フィルムなどが好適なものとして挙げられる。表面シート１３の液透過性を調整する目的で、界面活性剤等を用いた親水化処理を該シート１３に施してもよい。
【００１４】
一方、裏面シート１４から構成されている第２面１２は、ペットシート１０の使用時に、床面やペットシート１０が載置されるトレイの底面と対向する面である。第２面１２は、ペットシート１０が受容した排泄物をシート外に漏出させないようにする面であり、その目的のために第２面１２を構成する裏面シート１４は、液不透過性ないし液難透過性を有していることが好ましい。そのような特性を有する裏面シート１４の例としては、合成樹脂製のフィルムや、疎水性不織布の積層シートなどが好適なものとして挙げられる。
【００１５】
図１に示すとおり、ペットシート１０においては、第１面１１を構成する表面シート１３と、第２面を構成する裏面シート１４との間に吸収体１５が配置されている。吸収体は、表面シート１３に排泄された排泄物を吸収保持するための部位であり、その目的のために吸収体１５は、液の吸収保持性を有する材料から構成されていることが好ましい。そのような材料としては、例えばパルプ、高吸収性ポリマー、又はこれら両者の混合物などが好適なものとして挙げられる。
【００１６】
表面シート１３及び裏面シート１４は同形同寸のものであり、ペットシート１０の平面視での外形をなしている。吸収体１５は平面視して矩形のものであり、その周縁から表面シート１３及び裏面シート１４が延出している。延出した表面シート１３及び裏面シート１４は、吸収体の周縁の外方域において互いに接合されている。この接合によって吸収体１５はペットシート１０内に封入された状態になっている。
【００１７】
図１に示す状態のペットシート１０においては、矩形の四辺のうちの少なくとも一辺の長さが３０ｃｍ以上であることが好ましく、３３ｃｍ以上であることが更に好ましく、４４ｃｍ以上であることが一層好ましい。また１２０ｃｍ以下であることが好ましく、１０２ｃｍ以下であることが更に好ましく、９０ｃｍ以下であることが一層好ましい。例えば一辺の長さは３０ｃｍ以上１２０ｃｍ以下であることが好ましく、３３ｃｍ以上１０２ｃｍ以下であることが更に好ましく、４４ｃｍ以上９０ｃｍ以下であることが一層好ましい。このような寸法を採用することで、様々な種類のペットを対象としてペットシート１０を使用することができる。しかも、折り畳んだ状態での大きさをコンパクトにすることができる。なお図１においては、二対の辺の長さが異なっているが、ペットシート１０の具体的な用途によっては、二対の辺の長さを同じにしてもよい。つまり四辺の長さを同じにしてもよい。
【００１８】
図１に示すとおり、平らに広げた使用状態になっているペットシート１０においては、矩形の対角線の両端の位置Ａ，Ａ’に把持部１６，１６を備えている。把持部１６の取り付け位置は、ペットシート１０を平らに広げた使用時の状態において、該シート１０を横切る線分を仮想的に考えたとき、長さが最も長くなる該線分の両端の位置に相当する。この位置に把持部１６を設けることで、後述する図２に示す使用前の折り畳み状態になっているペットシート１０を、使用時の状態に展開するときに、把持部１６を手で把持して引っ張るだけの一動作でシート１０の展開動作の補助になり、シート１０を素早く広げることが可能となる。
【００１９】
図１に示すとおり把持部１６は一対設けられている。各把持部１６は平紐などの紐状部材から構成されている。紐状部材からなる把持部１６は、その一端がペットシート１０の角部に固定されており、他端が自由端になっている。紐状部材とペットシート１０との固定は、それらの材質に応じて適切な方法が用いられる。例えば融着、接着剤を用いた接着、縫着などの方法を採用することができる。
【００２０】
把持部１６の長さは、ペットシート１０の使用者が指先で該把持部１６を容易に摘まむことができる長さであれば特に制限はない。一般に２ｃｍ以１０ｃｍ以下の長さに設定すれば、満足すべき操作性が得られる。
【００２１】
図１においては、紐状部材からなる把持部１６はその長手方向が、ペットシート１０の対角線の延びる方向と略一致するように、該ペットシート１０に取り付けられている。このような取り付け態様を採用することで、シート１０を平らに広げる操作を一層容易に行うことができる。「略一致する」とは、ペットシート１０の対角線の延びる方向に対する、把持部１６の長手方向のなす角度が±１０度の範囲内に収まっていることを言う。
【００２２】
図２には、図１に示すペットシート１０の使用前の折り畳み状態が示されている。使用前の状態のペットシート１０は平面視での形状が矩形であり、多層に、特に三層以上に積層されるように折り畳まれている。同図に示すペットシート１０は九層に積層されるように折り畳まれている。このような多層の折り畳み構造を採用することで、折り畳んだ状態での大きさをコンパクトにすることができる。
【００２３】
図２に示す使用前の折り畳まれた状態のペットシート１０は、これを平面視したときに、折り畳まれた状態の該シート１０の周縁部に各把持部１６，１６が位置するように折り畳まれている。詳細には、平面視して矩形の形状をしている折り畳まれた状態のペットシート１０においては、対角線上にある２カ所の角部Ｂ，Ｂ’のそれぞれに把持部１６，１６が位置している。より具体的には、把持部１６の固定端が角部Ｂ，Ｂ’に位置している。折り畳まれた状態のペットシート１０において、その周縁部に把持部１６が位置していることで、該把持部１６が該シート１０の外部に容易に露出するようになるので、使用者による把持の操作を容易に行うことができる。特に、対角線上にある２カ所の角部Ｂ，Ｂ’のそれぞれに把持部１６，１６が位置していると、把持部１６を指で摘まんでシート１０を広げるときに、引っ張りの力が正反対の方向に作用するので、折り畳まれた状態のシート１０を首尾よく広げることができる。
【００２４】
図３（ａ）ないし（ｄ）には、図１に示す状態のペットシート１０を、図２に示す折り畳み状態にするための工程図が示されている。まず、図１（ａ）に示す折り線Ｌ１に沿って、図３（ａ）に示すとおり該折り線Ｌ１よりも外方に位置する部位Ｐ１を表面シート１３の側に向けて内折りする。次に、図１（ａ）に示す折り線Ｌ２に沿って、図３（ｂ）に示すとおり該折り線Ｌ２よりも外方に位置する部位Ｐ２を、先に折られている部位Ｐ１の側に向けて内折りする。折り線Ｌ１及びＬ２は、図１に示す状態のペットシート１０の短辺を略三等分する位置において、長辺と平行に延びている。これによって、巻き三つ折りの状態が完成する。
【００２５】
次に、図３（ｃ）に示すとおり、折り線Ｍ１に沿って、該折り線Ｍ１よりも外方に位置する部位Ｑ１を内折りする。更に図３（ｃ）に示すとおり、折り線Ｍ２に沿って、該折り線Ｍ２よりも外方に位置する部位Ｑ２を、先に折られている部位Ｑ１の側に向けて内折りする。折り線Ｍ１及びＭ２は、図１に示す状態のペットシート１０の長辺を略三等分する位置において、短辺と平行に延びている。したがって、先に述べた折り線Ｌ１，Ｌ２と、折り線Ｍ１，Ｍ２とは直交している。これによって、先に完成した巻き三つ折りの状態と直交する方向での巻き三つ折りの状態である図３（ｄ）の折り畳み状態が完成する。したがって、この折り畳み状態は「巻き三つ折り直角巻き三つ折り」である。「直角折り」とは、互いに直交する２本の折り線に沿って折ることを言う。
【００２６】
図４には、本発明のペットシートの別の実施形態が示されている。図４に示す折り畳み状態のペットシート１０は、平面視での形状が矩形であり、四層に積層されるように折り畳まれている。２つの把持部１６，１６は、矩形の四辺のうちの一辺に位置している。２つの把持部１６，１６が取り付けられている位置は同位置でもよく、あるいは２つの取り付け位置が一辺上で離間していてもよい。
【００２７】
図４に示すペットシート１０を平らに広げた状態は図１に示す状態と同じであり、平面視して矩形をしている。２つの把持部１６の取り付け位置は、矩形の対角線の両端位置である。
【００２８】
図５（ａ）ないし（ｄ）には、ペットシート１０を図４に示す折り畳み状態にするための工程が順次示されている。まず図５（ａ）に示すとおり、折り線Ｌ１に沿って、該折り線Ｌ１よりも外方に位置する部位Ｐ１を表面シート１３の側に向けて内折りする。次に、図５（ｂ）に示すとおり、折り線Ｌ２に沿って該折り線Ｌ２よりも外方に位置する部位Ｐ２を表面シート１３の側に向けて内折りする。折り線Ｌ１及びＬ２は、図１に示す状態のペットシート１０の短辺を略四等分する３本の線のうちの、各長辺ＤＬ１，Ｄｌ２寄りに位置する二本の線の位置と一致している。したがって、部位Ｐ１と部位Ｐ２とをそれぞれ内折りにすると、部位Ｐ１側の長辺ＬＤ１と、部位Ｐ２側の長辺ＬＤ２とが同位置に位置する折り畳み状態、すなわち両端折りの折り畳み状態が完成する。
【００２９】
次に、図５（ｃ）に示すとおり、両端折り状態になっているペットシート１０を、折り線Ｍ１に沿って二つ折りする。折り線Ｍ１は、図１に示す状態のペットシート１０の長辺を略二等分する位置において短辺と平行に延びている。これによって、先に完成した両端折りの状態と直交する方向での二つ折りの状態である図５（ｄ）の折り畳み状態が完成する。したがって、この折り畳み状態は「両端折り直角二つ折り」である。
【００３０】
図６には、本発明のペットシートの更に別の実施形態が示されている。図６に示す折り畳み状態のペットシート１０は、外折りの折部を少なくとも１カ所有するペットシートの一実施形態である。具体的は、図６に示す折り畳み状態のペットシート１０は、平面視での形状が矩形であり、三十六層に積層されるように折り畳まれている。２つの把持部１６，１６は、矩形の４カ所の角部のうちの１カ所の角部に位置している。
「外折り」とは、山折りと谷折りとが、交互に並んだ折り方であり、例えばＮの文字のように山―谷―山と折る折り方は「外三つ折り」、Ｍの文字のように山―谷―山―谷と折る折り方は「外四つ折り」である。
【００３１】
図６に示すペットシート１０を平らに広げた状態は図１に示す状態と同じであり、平面視して矩形をしている。２つの把持部１６の取り付け位置は、矩形の対角線の両端位置である。
【００３２】
図７（ａ）及び（ｂ）には、ペットシート１０を図６に示す折り畳み状態にするための工程が順次示されている。まず図７（ａ）に示すとおり、折り線Ｌ１−Ｌ５の５本の折り線に沿って山折り及び谷折りを交互に行う。詳細には、折り線Ｌ１，Ｌ３，Ｌ５の位置においてペットシート１０を山折りするとともに、折り線Ｌ２，Ｌ４の位置においてペットシート１０を谷折りする。折り線Ｌ１−Ｌ５は、図１に示す状態のペットシート１０の長辺を略六等分する位置において短辺と平行に延びている。このように折りを行うことで、図７（ａ）に示す外六つ折りの折り形態が完成する。この折り形態においては、折り線Ｌ１，Ｌ３，Ｌ５が同じ位置に位置し、かつ折り線Ｌ２，Ｌ４が同じ位置に位置する。
【００３３】
次に、図７（ｂ）に示すとおり、外六つ折りの折り状態になっているペットシート１０を、折り線Ｍ１−Ｍ５の５本の折り線に沿って山折り及び谷折りを交互に行う。詳細には、折り線Ｍ１，Ｍ３，Ｍ５の位置においてペットシート１０を山折りするとともに、折り線Ｍ２，Ｍ４の位置においてペットシート１０を谷折りする。折り線Ｍ１−Ｍ５は、図１に示す状態のペットシート１０の短辺を略六等分する位置において長辺と平行に延びている。これによって、先に完成した外六つ折りの状態と直交する方向での外六つ折りの状態である図７（ｂ）の折り畳み状態が完成する。したがって、この折り畳み状態は「外六つ折り直角外六つ折り」である。この折り形態においては、折り線Ｍ１，Ｍ３，Ｍ５が同じ位置に位置し、かつ折り線Ｍ２，Ｍ４が同じ位置に位置する。この折り畳み状態は、ペットシート１０の面積が大きい場合に、その広げやすさが一層容易になることから好ましい。
【００３４】
図８に示す実施形態は、図６に示す実施形態と同様に、平面視での形状が矩形であり、２つの把持部１６，１６は、矩形の４カ所の角部のうちの１カ所の角部に位置している。しかし、シート１０の積層数が八層であり、図６に示す実施形態における積層数である三十六層と層数が相違している。この相違はペットシート１０の折り畳み方の相違に起因している。図８に示すペットシート１０は、八頁折りの折り形態を経た折り畳み形態になっているペットシートの一実施形態である。なお、図８に示すペットシート１０を平らに広げた状態は図１に示す状態と同じであり、平面視して矩形をしている。２つの把持部１６の取り付け位置は、矩形の対角線の両端位置である。
【００３５】
図９（ａ）ないし（ｂ）には、ペットシート１０を図８に示す折り畳み状態にするための工程が順次示されている。まず図９（ａ）に示すとおり、折り線Ｌ１に沿ってペットシート１０を二つ折りして図９（ｂ）に示す折り状態にする。このとき、表面シート１３が内側になるように折り畳む。折り線Ｌ１は、図１に示す状態のペットシート１０の長辺を略二等分する位置において短辺と平行に延びている。
【００３６】
二つ折りされたペットシート１０は、折り線Ｍ１に沿って二つ折りされて図９（ｃ）に示す折り状態になる。折り線Ｍ１は、図１に示す状態のペットシート１０の短辺を略二等分する位置において長辺と平行に延びている。これによって、図９（ｂ）に示す二つ折りの状態と直交する方向での二つ折りの状態である図９（ｃ）の折り畳み状態が完成する。したがって、この折り畳み状態は「二つ折り直角二つ折り」、すなわち「八頁折り」である。
【００３７】
次に図９（ｄ）に示すとおり、八頁折りに折り畳まれた状態のペットシート１０を、折り線Ｌ２，Ｌ３に沿って二つ折りする。折り線Ｌ２及びＬ３は、図１に示す状態のペットシート１０の長辺を略四等分する３本の線のうちの、各短辺寄りに位置する二本の線の位置と一致している。これによって、八頁折りの折り形態を経た折り畳み形態である「十六頁折り」の折り形態が完成する。
【００３８】
図１０（ａ）及び（ｂ）は、これまで説明してきた実施形態に共通の事項である。これまで説明してきた実施形態においては、把持部１６として平紐からなる紐状部材を用いたが、これに代えて、例えば図１０（ａ）に示すとおり、輪状部材からなる把持部１６’を用いてもよい。あるいは、図１０（ｂ）に示すとおり、Ｔ字状部材からなる把持部１６”を用いてもよい。図１０（ａ）に示す輪状部材としては、例えば丸紐の両端を結合させて輪状になしたものを用いることができる。図１０（ｂ）に示すＴ字状部材としては、例えば合成樹脂製の板をＴ字状に加工したものや、合成樹脂をＴ字状に溶融成形したものを用いることができる。
【００３９】
本発明のペットシートの適用対象となるペットとしては、例えば犬や猫などのほ乳類小動物が挙げられるが、これらに限られない。また本発明のペットシートは、屋内及び屋外のいずれの場所でも用いることができる。
【００４０】
以上、本発明をその好ましい実施形態に基づき説明したが、本発明は前記の実施形態に制限されない。例えば前記の各実施形態におけるペットシート１０は、平らに広げた状態での平面視での形状が矩形であったが、これ以外の形状、例えば多角形、楕円形又はこれらの組み合わせを採用してもよい。
【００４１】
また、前記の各実施形態におけるペットシート１０は、平らに広げた状態で平面視した矩形における対角線の両端の位置に把持部を備えていたが、該シート１０の形状に応じ、把持部の取り付け位置はこれ以外であってもよい。例えばペットシート１０は、該シート１０を平らに広げた使用時の状態において、該シート１０の重心を通る直線を仮想的に考えたとき、該直線が該シート１０の外縁と交わる位置に把持部を備えていてもよい。
【００４２】
また、折り畳まれた状態のペットシート１０が平面視して矩形である場合、２つの把持部１６の位置は、上述した実施形態で示した位置以外でもよい。例えば隣り合う２カ所の角部のそれぞれに把持部が位置していてもよい。
【００４３】
更に、前記の各実施形態においては、把持部１６を２つ用いていたが、これに代えて３つ以上の把持部を用いてもよい。特に、ペットシート１０の面積が大きい場合には、二対以上の把持部を用いることが、該シート１０を一層広げやすくなる点から好ましい。二対以上の把持部を用いる場合、各対の把持部ごとに色や形状を変えて、把持すべき把持部の位置関係をわかりやすくすることが好ましい。
【００４４】
上述した実施形態に関し、本発明は更に以下のペットシートを開示する。
＜１＞
使用前は折り畳まれており、平らに広げて使用されるペットシートであって、
前記シートは、該シートを平らに広げた使用時の状態において、該シートを横切る線分を仮想的に考えたとき、長さが最も長くなる該線分の両端の位置にそれぞれ把持部を備え、
使用前の折り畳まれた状態の前記シートは、これを平面視したときに、折り畳まれた状態の該シートの周縁部に各把持部が位置するように、かつ三層以上に積層されるように折り畳まれている、ペットシート。
【００４５】
＜２＞
前記把持部が、紐状部材、輪状部材又はＴ字状部材からなる＜１＞に記載のペットシート。
＜３＞
平らに広げた状態において矩形をしており、該矩形の少なくとも１つの対角線の両端の位置に前記把持部を備える＜１＞又は＜２＞に記載のペットシート。
＜４＞
矩形の四辺のうちの少なくとも一辺の長さが、３０ｃｍ以上であることが好ましく、３３ｃｍ以上であることが更に好ましく、４４ｃｍ以上であることが一層好ましく、また１２０ｃｍ以下であることが好ましく、１０２ｃｍ以下であることが更に好ましく、９０ｃｍ以下であることが一層好ましく、３０ｃｍ以上１２０ｃｍ以下であることが好ましく、３３ｃｍ以上１０２ｃｍ以下であることが更に好ましく、４４ｃｍ以上９０ｃｍ以下であることが一層好ましい＜１＞ないし＜３＞の１に記載のペットシート。
＜５＞
外折りの折部を少なくとも１カ所有する＜１＞ないし＜４＞のいずれか１に記載のペットシート。
＜６＞
巻き折りの折部を少なくとも１カ所有する＜１＞ないし＜４＞のいずれか１に記載のペットシート。
【００４６】
＜７＞
直角折りの折部を少なくとも１カ所有する請求項＜１＞ないし＜４＞のいずれか１に記載のペットシート。
＜８＞
八頁折りの折り形態を経た折り畳み形態になっている＜１＞ないし＜４＞のいずれか一項に記載のペットシート。
＜９＞
折り畳まれた状態の平面視での形状が矩形であり、少なくとも１つの対角線上にある２カ所の角部のそれぞれに前記把持部が位置している＜１＞ないし＜８＞のいずれか１に記載のペットシート。
＜１０＞
折り畳まれた状態の平面視での形状が矩形であり、四辺のうちの一辺に２つの前記把持部が位置している＜１＞ないし＜８＞のいずれか１に記載のペットシート。
＜１１＞
折り畳まれた状態の平面視での形状が矩形であり、１カ所の角部に２つの前記把持部が位置している＜１＞ないし＜８＞のいずれか１に記載のペットシート。
【００４７】
＜１２＞
折り畳まれた状態の平面視での形状が矩形であり、隣り合う２カ所の角部のそれぞれに前記把持部が位置している＜１＞ないし＜８＞のいずれか１に記載のペットシート。
＜１３＞
前記把持部の長さが２ｃｍ以１０ｃｍ以下である＜１＞ないし＜１２＞のいずれか１に記載のペットシート。
＜１４＞
巻き三つ折り直角巻き三つ折りで折り畳まれている＜１＞ないし＜１３＞のいずれか１に記載のペットシート。
＜１５＞
両端折り直角二つ折りで折り畳まれている＜１＞ないし＜１３＞のいずれか１に記載のペットシート。
＜１６＞
外六つ折り直角外六つ折りで折り畳まれている＜１＞ないし＜１３＞のいずれか１に記載のペットシート。
【００４８】
＜１７＞
十六頁折りで折り畳まれている＜１＞ないし＜１３＞のいずれか１に記載のペットシート。
＜１８＞
前記シートは、該シートを平らに広げた使用時の状態において、該シートの重心を通る直線を仮想的に考えたとき、該直線が該シートの外縁と交わる位置に前記把持部を備えている＜１＞ないし＜１７＞のいずれか１に記載のペットシート。
＜１９＞
液透過性の表面シートと、液不透過性ないし液難透過性の裏面シートと、両シート間に配置された吸収体とを有する＜１＞ないし＜１８＞のいずれか１に記載のペットシート。
【実施例】
【００４９】
以下、実施例により本発明を更に詳細に説明する。しかしながら本発明の範囲は、かかる実施例に制限されない。
【００５０】
〔実施例１及び比較例１〕
図１ないし図３に示す巻き三つ折り直角巻き三つ折りの折り畳み形態を有するペットシート１０を製造した。表面シート１３として、ポリオレフィン系不織布を用いた。裏面シート１４として、ポリエチレンフィルムを用いた。吸収体１５として、綿状パルプ及び高分子吸収材の積繊体を用いた。平らに広げた状態でのペットシート１０の寸法は以下の表１に示すとおり３種類とした。把持部１６としては、幅１０ｍｍ、長さ５０ｍｍの平紐を用いた。比較例１においては、把持部１６を取り付けなかった。
【００５１】
このようにして得られた実施例及び比較例の折り畳まれたペットシート１０を、床の上に広げる操作を１１名のパネラー（Ａ−Ｌ）に行わせ、その操作を行うのに要した時間を測定した。結果を表１に示す。同表には、把持部１６の有無で対応するペットシートについて、測定された時間の統計的な差を、対応のあるｔ−検定によって確認した結果も併せて示してある。
【００５２】
【表１】
2015023817.tif 000003
【００５３】
〔実施例２及び比較例２〕
図４及び図５に示す両端折り直角二つ折りの折り畳み形態を有するペットシート１０を製造した。ペットシート１０の各構成部材は実施例１と同様とした。平らに広げた状態でのペットシート１０の寸法は以下の表２に示すとおり３種類とした。比較例２においては、把持部１６を取り付けなかった。この折り畳み形態を有するペットシートについて、実施例１と同様の測定を行った。その結果を表２に示す。
【００５４】
【表２】
2015023817.tif 000004
【００５５】
〔実施例３及び比較例３〕
図６及び図７に示す外六つ折り直角外六つ折りの折り畳み形態を有するペットシート１０を製造した。ペットシート１０の各構成部材は実施例１と同様とした。平らに広げた状態でのペットシート１０の寸法は以下の表３に示すとおり３種類とした。比較例３においては、把持部１６を取り付けなかった。この折り畳み形態を有するペットシートについて、実施例１と同様の測定を行った。その結果を表３に示す。
【００５６】
【表３】
2015023817.tif 000005
【００５７】
〔実施例４及び比較例４〕
図８及び図９に示す十六頁折りの折り畳み形態を有するペットシート１０を製造した。ペットシート１０の各構成部材は実施例１と同様とした。平らに広げた状態でのペットシート１０の寸法は以下の表４に示すとおりとした。比較例４においては、把持部１６を取り付けなかった。この折り畳み形態を有するペットシートについて、実施例１と同様の測定を行った。その結果を表４に示す。
【００５８】
【表４】
2015023817.tif 000006
【００５９】
表１ないし表４に示す結果から明かなとおり、各実施例で測定された時間は、対応する比較例で測定された時間に対して有意差をもって短縮されていることが判る。
【符号の説明】
【００６０】
１０  ペットシート
１１  第１面
１２  第２面
１３  表面シート
１４  裏面シート
１５  吸収体
１６  把持部
【図１】
2015023817.tif 000007
【図２】
2015023817.tif 000008
【図３】
2015023817.tif 000009
【図４】
2015023817.tif 000010
【図５】
2015023817.tif 000011
【図６】
2015023817.tif 000012
【図７】
2015023817.tif 000013
【図８】
2015023817.tif 000014
【図９】
2015023817.tif 000015
【図１０】
2015023817.tif 000016